(57)【要約】      （修正有）【課題】スパンドレル部におけるガラスパネルと耐火パネルとの間に形成される空気層が縦中骨によって左右に２分割されることがないカーテンウオールとする。【解決手段】枠体５の上枠部５ａにガラスパネル１５と耐火パネル１６を取付けてスパンドレル部とし、前記枠体５の下枠部にガラスパネル１５を取付けて窓部としたカーテンウオールユニット１を建物躯体に取付けたカーテンウオールユニット１において、前記枠体５の上横材と下横材とに亘って縦中骨１４を、前記耐火パネル１６と離隔して連結することで、上枠部５ａの空気層が縦中骨１４で左右に２分割されないようにする。【選択図】図５
2009235702.tif 000002
【特許請求の範囲】
【請求項１】
カーテンウオールユニットを建物躯体に取付けたカーテンウオールであって、
前記カーテンウオールユニットは、枠体の上枠部にパネル体と耐火パネルが取付けられたスパンドレル部と、枠体の下枠部にガラスパネルを取付けた窓部を備え、
前記枠体の上横材と下横材とに亘って縦中骨を、その室内側面と前記耐火パネルの室外側面が離隔して連結したことを特徴とするカーテンウオール。
【請求項２】
左右の縦材と上横材、下横材、中間横材で上枠部と下枠部を有する枠体とし、
前記上横材と下横材とに亘って縦中骨を、その室内側面が縦材、上横材、中間横材の室内側面よりも室外側寄りとして連結し、
前記左右の縦材と上横材と中間横材と縦中骨で、上枠部を左右の上枠部に２分割し、その左右の上枠部にパネル体をそれぞれ有し、
前記左右の縦材と上横材と中間横材に亘って耐火パネルを、その室外側面が縦中骨の室内側面と離隔して取付けてスパンドレル部とした請求項１記載のカーテンウオール。
【請求項３】
縦材、上横材、下横材、中間横材の見込み寸法を同一で、かつ縦中骨の見込み寸法よりも大きくし、
前記縦材、上横材、下横材、中間横材の室内側面、室外側面をそれぞれ面一とし、かつ各室外側面と縦中骨の室外側面を面一とし、
耐火パネルを、その室外側面と縦中骨の室内側面とを離隔して取付けた請求項２記載のカーテンウオール。
【請求項４】
中間横材の長手方向中間部に、室外側面に開口した切欠部を形成し、
この切欠部に縦中骨の長手方向中間部を嵌め合わせて連結するようにした請求項２又は３記載のカーテンウオール。
【発明の詳細な説明】
【技術分野】
【０００１】
本発明は、カーテンウオールユニットを建物躯体に取付けたカーテンウオールに関する。
【背景技術】
【０００２】
従来、カーテンウオールユニットを建物躯体に取付けたカーテンウオールが種々提案されている。
例えば、特許文献１に開示されたように、左右の縦材と上横材と中間横材（無目）と下横材で上の枠部と下の枠部を有する枠体とし、その上の枠部にガラスパネルと耐火パネルを取付けてスパンドレル部（腰部）とし、下の枠部にガラスパネルを取付けて窓部としたカーテンウオールユニットとし、このカーテンウオールユニットを建物躯体に上下、左右に連続して取付けたカーテンウオールが提案されている。
【特許文献１】特開２００６−１１８２２５号公報
【発明の開示】
【発明が解決しようとする課題】
【０００３】
前述したカーテンウオールユニットにおいては、枠体の上の枠部に、ガラスパネルと耐火パネルを室内外側方向（見込み方向）に離隔して取付け、そのガラスパネルと耐火パネルとの間に空気層を形成し、この空気層によって結露が発生しないようにしている。
一方、枠体の補強等のために、前記枠体の上横材と下横材とに亘って縦中骨を取付けることがある。
このようにすると、上の枠部が縦中骨で左右に２分割され、左右の上の枠部にガラスパネルと耐火パネルをそれぞれ取付けてスパンドレル部とすることになるので、前述したガラスパネルと耐火パネルとの間の空気層が左右に２分割され、その空気層の容積が小さくなるから、前述した結露発生防止性能が低下する等の問題が生じる。
【０００４】
本発明の目的は、スパンドレル部におけるガラスパネルと耐火パネルとの間に形成される空気層が、縦中骨によって左右に２分割されることがないカーテンウオールユニットを備えたカーテンウオールとすることである。
【課題を解決するための手段】
【０００５】
本発明は、カーテンウオールユニットを建物躯体に取付けたカーテンウオールであって、
前記カーテンウオールユニットは、枠体の上枠部にパネル体と耐火パネルが取付けられたスパンドレル部と、枠体の下枠部にガラスパネルを取付けた窓部を備え、
前記枠体の上横材と下横材とに亘って縦中骨を、その室内側面と前記耐火パネルの室外側面が離隔して連結したことを特徴とするカーテンウオールである。
【０００６】
本発明においては、左右の縦材と上横材、下横材、中間横材で上枠部と下枠部を有する枠体とし、
前記上横材と下横材とに亘って縦中骨を、その室内側面が縦材、上横材、中間横材の室内側面よりも室外側寄りとして連結し、
前記左右の縦材と上横材と中間横材と縦中骨で、上枠部を左右の上枠部に２分割し、その左右の上枠部にパネル体をそれぞれ有し、
前記左右の縦材と上横材と中間横材に亘って耐火パネルを、その室外側面が縦中骨の室内側面と離隔して取付けてスパンドレル部とすることができる。
このようにすれば、上枠部の内周面の大きさよりもパネル体を小さいものにできる。
【０００７】
本発明においては、縦材、上横材、下横材、中間横材の見込み寸法を同一で、かつ縦中骨の見込み寸法よりも大きくし、
前記縦材、上横材、下横材、中間横材の室内側面、室外側面をそれぞれ面一とし、かつ各室外側面と縦中骨の室外側面を面一とし、
耐火パネルを、その室外側面と縦中骨の室内側面とを離隔して取付けるようにできる。
このようにすれば、枠体の室外側面が面一となって見栄えが良いカーテンウオールユニットとなる。
【０００８】
本発明においては、中間横材の長手方向中間部に、室外側面に開口した切欠部を形成し、
この切欠部に縦中骨の長手方向中間部を嵌め合わせて連結するようにできる。
このようにすれば、縦中骨を上横材、下横材に連結する作業がやり易い。
【発明の効果】
【０００９】
本発明によれば、スパンドレル部における耐火パネルの室外側面と縦中骨の室内側面が離隔しているので、その耐火パネルの室外側面と縦中骨の室内側面との間で縦中骨を境とした左右の空気層が連通する。
したがって、スパンドレル部におけるパネル体と耐火パネルとの間に形成される空気層が縦中骨によって左右に２分割されることがない。
【発明を実施するための最良の形態】
【００１０】
図１〜図３に示すように、カーテンウオールユニット１が上下方向に連続し、かつ左右方向に離隔して建物躯体、例えば床スラブ２にファスナー３で取付けてある。
前記左右に隣接したカーテンウオールユニット１間にはパネルユニット４が取付けてある。
前記カーテンウオールユニット１は枠体５を備えている。
この枠体５は左右の縦材１０，１０と上横材１１と下横材１２と中間横材（無目）１３で上枠部５ａと下枠部５ｂを有していると共に、前記上横材１１と下横材１２とに亘って縦中骨１４が連結してある。
【００１１】
前記縦材１０、上横材１１、下横材１２、中間横材１３の見込み寸法（室内外側方向の寸法）は同一で、各室内側面１０ａ，１１ａ，１２ａ，１３ａ及び室外側面１０ｂ，１１ｂ，１２ｂ，１３ｂはそれぞれ面一である。前記縦中骨１４の見込み寸法は縦材１０、上横材１１、下横材１２、中間横材１３の見込み寸法よりも小さい。
前記縦中骨１４の室内側面１４ａは縦材１０、上横材１１、下横材１２、中間横材１３の室内側面１０ａ，１１ａ，１２ａ，１３ａよりも室外側寄りで、各室外側面１４ｂ，１０ｂ，１１ｂ，１２ｂ，１３ｂは面一である。
【００１２】
このようであるから、前記上枠部５ａ、下枠部５ｂの室外側寄りが縦中骨１４で左右の上枠部５ａ−１，５ａ−２、下枠部５ｂ−１，５ｂ−２にそれぞれ２分割されるが、室内側寄りは１つの大きな上枠部５ａ、下枠部５ｂのままである。
【００１３】
また、各室外側面１０ａ，１１ａ，１２ａ，１３ａ，１４ａが面一であるから、枠体５（カーテンウオールユニット１）の室外側面が面一となって見栄えの良いカーテンウオールユニットとすることができる。
【００１４】
前記上枠部５ａの室外側寄りの左右の上枠部５ａ−１，５ａ−２にパネル体、例えばガラスパネル１５がそれぞれ取付けてあると共に、上枠部５ａの室内側寄りに耐火パネル１６を取付けて上枠部５ａをスパンドレル部としてある。パネル体としては、ステンレス板、石材パネルなどを用いることができる。
このようであるから、耐火パネル１６は上枠部５ａの内周面の大きさとほぼ同一であるが、左右のガラスパネル１５は左右の上枠部５ａ−１，５ａ−２の内周面の大きさとほぼ同一であるから、ガラスパネル１５を上枠部５ａの内周面の大きさよりも小さくできる。
【００１５】
前記耐火パネル１６は、その室外側面１６ａと縦中骨１４の室内側面１４ａが離隔し、その間で縦中骨１４を境とした左右の空気層が連通するので、空気層が縦中骨１４で左右の２分割されない。
つまり、左右の縦材１０の内面と上横材１１の下面と中間横材１３の上面と縦中骨１４と一対のガラスパネル１５と１つの耐火パネル１６で大きな１つの空気層を形成している。
【００１６】
このようであるから、枠体５の上横材１１と下横材１２とに亘って縦中骨１４を連結したにもかかわらず上枠部５ａ（スパンドレル部）におけるガラスパネル１５と耐火パネル１６との間に形成される空気層が、前述の縦中骨１４によって左右に２分割されることがなく、上枠部５ａの内周全体を１つの空気層とすることができる。
したがって、結露発生防止性能が低下する等の問題が生じることがない。
【００１７】
前記下枠部５ｂの左右の下枠部５ｂ−１，５ｂ−２にガラスパネル１５がそれぞれ取付けられて窓部としてある。
【００１８】
前記パネルユニット４はカーテンウオールユニット１よりも室外側に突出し、その左右のパネルユニット４の室外側面４ａとカーテンウオールユニット１の室外側面１ａとで室外側に開口した幅広い凹陥部１７が縦方向に連続して形成されている。
前記縦中骨１４の室外側面１４ｂに化粧縦材１８を取付け、この化粧縦材１８が前述の凹陥部１７の左右方向中間、好ましくは中央に位置し、かつその室外側面１８ａをパネルユニット４の室外側面４ａと略面一としてある。
これによって、左右のパネルユニット４の中間に化粧縦材１８が見える外観となるから、外観の見栄えが良い。
【００１９】
次に、各部材の詳細を図４〜図６に基づいて説明する。
前記上横材１１は室外側部に下向凹部１１ｃを有し、下横材１２は室外側部に上向凹部１２ｃを有し、中間横材１３の室外側部には上向凹部１３ｃと下向凹部１３ｄを有し、縦枠１０の室外側部には内向凹部１０ｃを有している。この各凹部は、本体に押縁を取付けて形成してある。
前記縦中骨１４の室外側部には左右方向（見付け方向）の両方に開口した一対の外向凹部１４ｃ，１４ｃを有している。
そして、各凹部が４周連続し、ガラスパネル１５が装着されている。
【００２０】
前記縦枠１０の内側面１０ｄ、上横材１１の内側面１１ｄ、中間横材１３の内側面（上面）１３ｅの室内側寄り（つまり、上枠部５ａの内周面の室内側寄り）にブラケット２０がビスで４周連続して取付けてある。
この各ブラケット２０に耐火パネル１６の室外側面１６ａの周囲を押しつけ、室内側面１６ｂの周囲に押えプレート２１を押しつけて耐火パネル１６を上枠部５ａの室内側寄りに取付け、縦中骨１４の室内側面１４ａと耐火パネル１６の室外側面１６ａとが離隔して大きな空気層を形成する。
前記押えプレート２１は、左右の縦枠１０の室内側面１０ａ、上横材１１の室内側面１１ａ、中間横材１３の室内側面１３ａにそれぞれビスで固着してある。
【００２１】
前記縦中骨１４は、その長手方向中間部を中間横材１３の切欠部１３ｆに嵌め合わせて組み合わせられ、その上下端面１４ｄ，１４ｅが上下横材１１，１２の内側面１１ｄ，１２ｄに当接し、ビスによって連結される。
このようであるから、縦中骨１４を上下横材１１，１２に連結する作業がやり易い。
【００２２】
前記中間横材１３と縦中骨１４の連結について説明する。
前記中間横材１３は、図６に示すように、上面板３０と下面板３１と室内側板３２と室外側板３３と仕切り板３４で室外側中空部３５と室内側中空部３６を有する本体３７と、この室外側板３３に設けた押縁３８を備え、その室外側板３３と押縁３８で上向凹部１３ｃと下向凹部１３ｄを有している。前記室内側板３２の表面が室内側面１３ａで、押縁３８の表面が室外側面１３ｂである。
前記中間横材１３の長手方向中間部における仕切り板３４よりも室外側部分が切欠きされて前述の切欠部１３ｆで、この切欠部１３ｆの左右寸法は縦中骨１４の左右方向の寸法（見付け寸法）よりも若干大きく、室外側面１３ｂに開口している。
前記仕切り板３４と室内側板３２における切欠部１３ｆと対向した位置にボルト挿通孔３９と工具挿入孔４０が相対向して形成してある。
【００２３】
前記縦中骨１４は図６に示すように、室内側板４１と中間板４２と室外側板４３と左右の連結板４４で中空部４５と一対の外向凹部１４ｃを有し、室外側板４３には一対の突片４６が室外側に向けて有している。
前記中空部４５内に裏板４７が挿入され、そのねじ孔４７ａと対向したボルト挿通孔４８が室内側板４１に形成してある。
【００２４】
前記縦中骨１４を中間横材１３の切欠部１３ｆに嵌め合わせ、連結用ボルト５０を工具挿入孔４０、ボルト挿通孔３９，４８を通して裏板４７のねじ孔４７ａに螺合して縦中骨１４の室内側板４１を中間横材１３の仕切り板３４に押しつけて縦中骨１４と中間横材１３を連結している。
【００２５】
前記パネルユニット４の見付け寸法は、室外側部が大きく、室内側部が小さく、室内側に向かう段部４ｂを有している。
そして、縦枠１０はパネルユニット４の室内側部と対向して取付けられて室外側部で覆われて室外側から見た時に縦枠１０が見えないようにしてある。
この実施の形態のパネルユニットは、基部５１の見付け寸法の大きな室外側部にＰＣ板５２を固着して取付けてある。
これに限ることはなく、任意のパネル構造体とすることができる。
【００２６】
前記化粧縦材１８は矩形中空形状で、その室内側面１８ｂに一対の取付片１８ｃを有している。
この取付片１８ｃが前記縦中骨１４の一対の突片４６にボルト５３で取付けてある。
このようであるから、縦中骨１４を利用して化粧縦材１８をしっかり取付けできる。
【００２７】
前述の実施の形態では、カーテンウオールユニット１とパネルユニット４を左右方向に交互に取付けしたが、そのカーテンウオールユニット１を左右に連続して取付けるようにしても良い。
要するに、本発明のカーテンウオールユニットは、カーテンウオールユニットを建物躯体に取付けたものであれば良い。
【図面の簡単な説明】
【００２８】
【図１】本発明の実施の形態を示すカーテンウオールの一部外観図である。
【図２】図１のＡ−Ａ断面図である。
【図３】図１のＢ−Ｂ断面図である。
【図４】スパンドレル部の拡大詳細縦断面図である。
【図５】スパンドレル部の拡大詳細横断面図である。
【図６】中間横材と縦中骨の連結部分の分解斜視図である。
【符号の説明】
【００２９】
１…カーテンウオールユニット、２…床スラブ（建物躯体），５…枠体、５ａ…上枠部、５ｂ…下枠部、１０…縦材、１０ａ…室内側面、１０ｂ…室外側面、１１…上横材、１１ａ…室内側面、１１ｂ…室外側面、１２…下横材、１２ａ…室内側面、１２ｂ…室外側面、１３…中間横材、１３ａ…室内側面、１３ｂ…室外側面、１３ｆ…切欠部、１４…縦中骨、１４ａ…室内側面、１４ｂ…室外側面、１５…ガラスパネル、１６…耐火パネル、１６ａ…室外側面、１６ｂ…室内側面、３０…上面板、３１…下面板、３２…室内側板、３３…仕切り板。
【図１】
2009235702.tif 000003
【図２】
2009235702.tif 000004
【図３】
2009235702.tif 000005
【図４】
2009235702.tif 000006
【図５】
2009235702.tif 000007
【図６】
2009235702.tif 000008